(57)【特許請求の範囲】
【請求項１】
プラスチック製線材の通孔を有し対になった撚合用半割形歯車を網幅方向に多数並設し、互いに合致する一対の撚合用半割形歯車の通孔に挿通された２本のプラスチック製線材を合致する一対の撚合用半割形歯車の回転により数回撚合させた後、一方又は双方が網幅方向に分離移行してそれぞれ隣設する別の撚合用半割形歯車に合致させて新たに合致した一対の撚合用半割形歯車の回転により該半割形歯車の通孔に挿通された２本のプラスチック製線材を数回撚合させ、元の位置に戻り先の撚合用半割形歯車と合致し回転することを繰り返す網撚合機構を備え、
前記網撚合機構の後方に、この網撚合機構の各撚合用半割形歯車に一対一に対応する撚合防止用半割形歯車をそれぞれ有する網撚合防止機構を配置し、網撚合防止機構の各撚合防止用半割形歯車は、プラスチック製線材の通孔をそれぞれ有し、且つ網撚合機構の撚合用半割形歯車の回転及び網幅方向への分離移行に同期して回転及び網幅方向に分離移行し、
網撚合機構及び網撚合防止機構の各一対の半割型歯車の回転に同期して回転する案内歯車と、合致して一対となる網撚合防止機構の撚合防止用半割型歯車の一方を通じて網撚合機構の一方の撚合用半割形歯車に、プラスチック製線材を供給し且つ案内歯車の回転する内側に設けられる前部供出ボビンと、合致して一対となる網撚合防止機構の撚合防止用半割型歯車の他方を通じて網撚合機構の他方の撚合用半割形歯車に、案内歯車の外周側溝に引っ掛けられて回転するプラスチック製線材プラスチック製線材を供給し且つ案内歯車の後方に配置される後部供出ボビンと、前部供出ボビンと後部供出ボビンとの間に設けられ各後部供出ボビンから供出されるプラスチック製線材を対応する案内歯車に掛け替えるためのガイド装置と、からなる撚戻機構を前記網撚合防止機構の後方にそれぞれ設け、
前後の前記網撚合機構及び網撚合防止機構の対応する各半割型歯車の通孔同士をプラスチック製線材がその内部を挿通する中空な熱伝導挿通管でそれぞれ連結し、前後の網撚合機構と網撚合防止機構との間に熱伝導挿通管が配管された領域に、熱伝導挿通管を通じて内部のプラスチック製線材を均一に加熱する加熱装置を設け、
前記網撚合機構の前方に、該網撚合機構から送出される亀甲形網の網幅方向の各撚り合せ部分に対応する箇所に少なくとも凹部をそれぞれ有し、且つ網撚合機構からの亀甲形網の送出速度と同速度で前方に少し移動した後に元の位置に瞬時に復帰し、この動作を繰り返す櫛歯型の成形保持盤を設けたことを特徴とするプラスチック製亀甲形網の製造装置。
【請求項２】
櫛歯型の成形保持盤は前後に２基設けられている請求項１記載のプラスチック製亀甲形網の製造装置。
【発明の詳細な説明】
【技術分野】
【０００１】
この発明は、プラスチック製線材を撚り合せして亀甲形網を製造する装置に係り、特に、撚り合せ直前の各プラスチック製線材を簡単な構造で均一に予熱し、しかも網撚合防止機構から網撚合機構へのプラスチック製線材の通し作業を簡単且つ容易にし、さらに均一な亀甲形の形状に維持するプラスチック製亀甲形網の製造装置に関するものである。
【背景技術】
【０００２】
金属線又は合成樹脂線状物などを撚り合せて編み上げられた亀甲形網が知られている。亀甲形網は隣接する２辺を撚り合せたものから構成されていて、強度や耐久性が極めて優れており、フェンス、養殖用網、落石防止網などの用途に多用されている。
このうち、合成樹脂線状物を撚り合せて編み上げられた亀甲形網は、金属線を用いた亀甲形金網に較べて錆や腐食を招かない点で耐久性が優れ、さらに強度や網目の規則性についても優れたものが開発されている（特開昭５７−５６５５６）。
このようなものとして、特開昭５７−５６５５６の亀甲型網状体の製造方法がある。特開昭５７−５６５５６は、延伸・未固定の線状物を所定の温度に予熱し、これを緊張状態で撚り合せ、編成した後、網状体を弛緩状態で熱固定し、次いでこれを急冷して製造される。
【特許文献１】特開昭５７−５６５５６
【特許文献２】特開昭５７−２８６４５
【特許文献３】特開昭５４−９６１８３
【特許文献４】特開昭５４−４６９７０
【発明の開示】
【発明が解決しようとする課題】
【０００３】
しかしながら、撚り合せする前のプラスチック製線材（先願の線状体に相当）をヒータや熱風ゾーンを使用して均一に予熱するのは簡単ではなく、部分的に予熱むらが生じやすく、その結果、均一に撚り合せができなかったり、部分的に強度の低下が生じたりして、均一な形状と強度を有する亀甲形網に撚り合せて編み上げることが困難であった。
また、それぞれのプラスチック製線材を後方の網撚合防止機構から前方の網撚合機構の対応する各撚合用半割型歯車の通孔に挿通させるプラスチック製線材の通し作業にあっては、後方の網撚合防止機構の撚合防止用半割型歯車の通孔に挿通させた後、これに対応する前方の網撚合機構の撚合用半割型歯車の通孔に挿通させることが必要であり、叉、間違って他の網撚合機構の撚合用半割型歯車の通孔に挿通させると、その後は全てずれて挿通させることになって、作業をやり直ししなければならないこともあり、網撚合防止機構から網撚合機構へのプラスチック製線材の通し作業は常に面倒で手間と時間がかかるという課題があった。
さらに、２本のプラスチック製線材（先願の線状体に相当）を撚り合せた後は再び亀甲形にするために、撚り合せた後の２本の線材を両側に開くが、その際に撚り合せた部分が左右に強く引っ張られ過ぎて変形し、部分的に亀甲形を維持できなくなり、均一な形状と強度を有する亀甲形網に撚り合せて編み上げることが困難であった。
【０００４】
この発明は、上記のような課題に鑑み、その課題を解決すべく創案されたものであって、その目的とするところは、前後の網撚合機構及び網撚合防止機構の対応する各半割型歯車の通孔同士を熱伝導挿通管でそれぞれ連結し、撚り合せする前の各プラスチック製線材を加熱される熱伝導挿通管内を挿通させることで、簡単な構造で均一に予熱して部分的に予熱むらが生じるのを防ぎ、しかも熱伝導挿通管を利用することで網撚合防止機構から網撚合機構へのプラスチック製線材の通し作業を簡単且つ容易にでき、さらに網撚合機構から送出された直後の各撚合箇所を成形保持盤によりその網幅方向の間隔で保持し均一な亀甲形の形状に維持して、均一な強度を有する亀甲形網を編み上げることのできるプラスチック製亀甲形網の製造装置を提供することにある。
【課題を解決するための手段】
【０００５】
以上の課題を解決するために、この発明は、プラスチック製線材の通孔を有し対になった撚合用半割形歯車を網幅方向に多数並設し、互いに合致する一対の撚合用半割形歯車の通孔に挿通された２本のプラスチック製線材を合致する一対の撚合用半割形歯車の回転により数回撚合させた後、一方又は双方が網幅方向に分離移行してそれぞれ隣設する別の撚合用半割形歯車に合致させて新たに合致した一対の撚合用半割形歯車の回転により該半割形歯車の通孔に挿通された２本のプラスチック製線材を数回撚合させ、元の位置に戻り先の撚合用半割形歯車と合致し回転することを繰り返す網撚合機構を備え、
前記網撚合機構の後方に、この網撚合機構の各撚合用半割形歯車に一対一に対応する撚合防止用半割形歯車をそれぞれ有する網撚合防止機構を配置し、網撚合防止機構の各撚合防止用半割形歯車は、プラスチック製線材の通孔をそれぞれ有し、且つ網撚合機構の撚合用半割形歯車の回転及び網幅方向への分離移行に同期して回転及び網幅方向に分離移行し、
網撚合機構及び網撚合防止機構の各一対の半割型歯車の回転に同期して回転する案内歯車と、合致して一対となる網撚合防止機構の撚合防止用半割型歯車の一方を通じて網撚合機構の一方の撚合用半割形歯車に、プラスチック製線材を供給し且つ案内歯車の回転する内側に設けられる前部供出ボビンと、合致して一対となる網撚合防止機構の撚合防止用半割型歯車の他方を通じて網撚合機構の他方の撚合用半割形歯車に、案内歯車の外周側溝に引っ掛けられて回転するプラスチック製線材プラスチック製線材を供給し且つ案内歯車の後方に配置される後部供出ボビンと、前部供出ボビンと後部供出ボビンとの間に設けられ各後部供出ボビンから供出されるプラスチック製線材を対応する案内歯車に掛け替えるためのガイド装置と、からなる撚戻機構を前記網撚合防止機構の後方にそれぞれ設け、
前後の前記網撚合機構及び網撚合防止機構の対応する各半割型歯車の通孔同士をプラスチック製線材がその内部を挿通する中空な熱伝導挿通管でそれぞれ連結し、前後の網撚合機構と網撚合防止機構との間に熱伝導挿通管が配管された領域に、熱伝導挿通管を通じて内部のプラスチック製線材を均一に加熱する加熱装置を設け、
前記網撚合機構の前方に、該網撚合機構から送出される亀甲形網の網幅方向の各撚り合せ部分に対応する箇所に少なくとも凹部をそれぞれ有し、且つ網撚合機構からの亀甲形網の送出速度と同速度で前方に少し移動した後に元の位置に瞬時に復帰し、この動作を繰り返す櫛歯型の成形保持盤を設けた手段よりなるものである。
【発明の効果】
【０００６】
以上の課題を解決するための手段を備えたこの発明に係るプラスチック製亀甲形網の製造装置によれば、前後の網撚合機構及び網撚合防止機構の対応する各半割型歯車の通孔同士をプラスチック製線材がその内部を挿通する中空な熱伝導挿通管でそれぞれ連結し、前後の網撚合機構と網撚合防止機構との間に熱伝導挿通管が配管された領域に、熱伝導挿通管を通じて内部のプラスチック製線材を均一に加熱する加熱装置を設けたことにより、撚り合せする前の各プラスチック製線材を加熱される熱伝導挿通管内を挿通させることで、簡単な構造で均一に予熱して部分的に予熱むらが生じるのを防ぐことができ、予熱むらに起因して、均一に撚り合せができなかったり、部分的に強度の低下が生じたりするのを防止でき、均一な形状と強度を有するプラスチック製の亀甲形網に編み上げることができる。
しかも熱伝導挿通管を利用することにより、従来行っていた各プラスチック製線材を網撚合防止機構の各撚合防止用半割形歯車の通孔に挿通した後に、その前方の網撚合機構の対応する箇所の撚合用半割形歯車の通孔に挿通しなければならない面倒な作業を省略でき、網撚合防止機構から網撚合機構へのプラスチック製線材の通し作業を簡単且つ容易に行うことが可能となり、作業時間を大幅に短縮することができる。
さらに、網撚合機構の前方に、該網撚合機構から送出される亀甲形網の網幅方向の各撚り合せ部分に対応する箇所に少なくとも凹部をそれぞれ有し、且つ網撚合機構からの亀甲形網の送出速度と同速度で前方に少し移動した後に元の位置に瞬時に復帰し、この動作を繰り返す櫛歯型の成形保持盤を設けたことにより、網撚合機構から送出された直後の各撚合箇所を成形保持盤によりその網幅方向の間隔で保持できるので、撚り合せた後の２本の線材を両側に一定の張力で引っ張って開いても、成形保持盤の凹部によってその際に撚り合せた部分が左右の何れかに強く引っ張られ過ぎて変形するのを防ぐことができるので、部分的に亀甲形を維持できなくなることもなく、均一な亀甲形の形状と所定の強度を有する亀甲形網を編み上げることができる。
【発明を実施するための最良の形態】
【０００７】
以下、図面に記載の発明を実施するための最良の形態に基づいて、この発明をより具体的に説明する。
ここで、図１はプラスチック製亀甲形網の製造装置の全体概要図、図２は網撚合機構及び網撚合防止機構の半割形歯車の回転時の部分斜視図、図３は網撚合機構及び網撚合防止機構の半割形歯車の網幅方向への分離移行時の部分斜視図、図４は撚戻機構の部分斜視図、図５は成形保持盤の部分斜視図、図６（Ａ）〜（Ｃ）は成形保持盤の動作説明用の部分平断面図である。
【０００８】
図において、プラスチック製亀甲形網の製造装置１は、プラスチック製線材ａを撚り合せて亀甲形網ｂに編み上げる網撚合機構２と、その後方に配置された網撚合防止機構３と、案内歯車４１、プラスチック製線材ａを供出する前部供出ボビン４２、後部供出ボビン４３及びその間に設置されたガイド装置４４を有する撚戻機構４とを備え、これらに加えて、前後の網撚合機構２及び網撚合防止機構３の間に設けられ熱伝導挿通管５１を通じて内部のプラスチック製線材ａを均一に加熱する加熱装置５と、前記網撚合機構２の前方に設置され亀甲形網ｂの形状を保持する成形保持盤６とを備えたものから構成されている。
【０００９】
網撚合機構２は、一対の撚合用半割形歯車２１，２２が合致しての回転及び一対の撚合用半割形歯車２１，２２が網幅方向への分離移行を繰り返しながら、プラスチック製線材ａを亀甲形網ｂに編み上げるものである。亀甲形網ｂはその網撚合機構２によって前方に向けて連続的に造り出される。網撚合機構２には、撚合用半割形歯車２１，２２を噛合によって回転させるラック２３が上下に配置されている。
【００１０】
網撚合機構２は、プラスチック製線材ａの通孔２１ａ、２２ａを有し、例えば上下で対になった撚合用半割形歯車２１，２２を網幅方向に多数並設し、互いに合致する一対の撚合用半割形歯車２１，２２の通孔２１ａ、２２ａに挿通された２本のプラスチック製線材ａを上下で合致する一対の撚合用半割形歯車２１，２２の回転により数回撚合させた後、一方又は双方が網幅方向に分離移行してそれぞれ隣設する別の撚合用半割形歯車２１，２２に上下で合致させて新たに合致した一対の撚合用半割形歯車２１，２２の回転により該半割形歯車２１，２２の通孔２１ａ、２２ａに挿通された２本のプラスチック製線材ａを数回撚合させ、元の位置に戻り先の撚合用半割形歯車２１，２２と上下で合致し回転することを繰り返しながら、亀甲形網ｂに編み上げる。
【００１１】
つまり、網撚合機構２は、例えば上下で対になった撚合用半割形歯車２１，２２が網幅方向に多数並設された構造からなっている。上下で合致して一対となる各撚合用半割形歯車２１，２２には、それぞれ通孔２１ａ、２２ａが形成されており、各通孔２１ａ、２２ａにはプラスチック製線材ａが挿通されている。上下で対になった撚合用半割形歯車２１，２２は上下で合致した後に数回回転する構造になっている。上部側の撚合用半割形歯車２１及び下部側の撚合用半割形歯車２２は、一方又は双方が網幅方向に分離移行して、それぞれ隣設する別の撚合用半割形歯車２１，２２に上下で合致する構造になっている。
【００１２】
前記網撚合機構２の後方には、この網撚合機構２の各撚合用半割形歯車２１，２２に一対一に対応する撚合防止用半割形歯車３１，３２をそれぞれ有する網撚合防止機構３が配置されている。網撚合防止機構３は、前方の網撚合機構２との間に配管された熱伝導挿通管５１が原因となって、亀甲形網ｂが編み上がらなくなるのを防止するために、設けられるものである。
【００１３】
網撚合防止機構３の各撚合防止用半割形歯車３１，３２は、プラスチック製線材ａが挿通されるための通孔３１ａ、３２ａをそれぞれ有している。また、網撚合防止機構３の各撚合防止用半割形歯車３１，３２は、網撚合機構２の撚合用半割形歯車２１，２２の回転及び網幅方向への分離移行に同期して回転及び網幅方向に分離移行する構造になっている。網撚合防止機構３には、撚合防止用半割形歯車３１，３２を噛合によって回転させるラック３３が上下に配置されている。
【００１４】
網撚合防止機構３は網撚合機構２と略同一の構造をしており、そして網撚合機構２と同一の動きをすることにより、網撚合機構２の各撚合用半割形歯車２１，２２とこれに一対一に対応する網撚合防止機構３の各撚合防止用半割形歯車３１，３２との間に配管された各熱伝導挿通管５１同士が、撚合用半割形歯車２１，２２の回転及び網幅方向への分離移行の動きに対して、接触したり撚り合うのを防止するためである。
【００１５】
つまり、各熱伝導挿通管５１同士が接触したり撚り合うと、網撚合機構２の撚合用半割形歯車２１，２２の回転及び網幅方向への分離移行の障害となったり故障の原因となり、また熱伝導挿通管５１が破損したり曲がったりして、挿通されているプラスチック製線材ａが切れたり撚り合ったりして、亀甲形網ｂが編み上がらなくなる。これを防止するために、網撚合防止機構３が網撚合機構２の後方に配置されているのである。
【００１６】
撚戻機構４は、網撚合防止機構３に向けて連続的に供出されるプラスチック製線材ａには網撚合機構２で撚られることによって撚りの癖が付加されるため、網撚合防止機構３に向けて連続的に供出されるプラスチック製線材ａの撚りを戻すことによって、網撚合機構２で撚られるプラスチック製線材ａに撚りの癖が付加されるのを防いで、亀甲形網ｂの形状がスムーズに形成されなくなるのを防ぎ、叉その強度が低下するのを防ぐ機能を果たす。
【００１７】
また、撚戻機構４は、網撚合防止機構３に向けて連続的に供出されるプラスチック製線材ａ同士が、網撚合防止機構３の各撚合防止用半割形歯車３１，３２の回転及び網幅方向への分離移行の動きによって絡み合うのを防いで、網撚合防止機構３に向けてプラスチック製線材ａをスムーズに供出できるようにしている。
【００１８】
撚戻機構４は、案内歯車４１、プラスチック製線材ａを供出する前部供出ボビン４２、プラスチック製線材ａを供出する後部供出ボビン４３、ガイド装置４４などから構成され、前記網撚合防止機構３の後方に、後方に向けて案内歯車４１内の前部供出ボビン４２、ガイド装置４４、後部供出ボビン４３の順序でそれぞれ設けられている。
【００１９】
案内歯車４１は、網撚合機構２及び網撚合防止機構３の各一対の半割型歯車の回転に同期して回転する。前部供出ボビン４２に対応する数だけ設けられている。叉前記網撚合防止機構３の後方に設けられている。案内歯車４１の外周には歯車が形成され、この歯車と噛み合って案内歯車４１を回転させる回転歯車４１ａがそれぞれ設けられている。案内歯車４１の外周の一部には、後部供出ボビン４３から供給されるプラスチック製線材ａを引っ掛けて回転させるための外周側溝４１ｂが形成されている。
【００２０】
前部供出ボビン４２は、合致して一対となる網撚合防止機構３の撚合防止用半割型歯車３１又は３２の一方を通じて網撚合機構２の一方の撚合用半割形歯車２１又は２２に、プラスチック製線材ａを供給する。前部供出ボビン４２にはプラスチック製線材ａが巻かれている。前部供出ボビン４２は案内歯車４１の回転する内側に設けられている。前部供出ボビン４２は回転する案内歯車４１に対して略回転しないように設けられている。
【００２１】
後部供出ボビン４３は、合致して一対となる網撚合防止機構３の撚合防止用半割型歯車３１又は３２の他方を通じて網撚合機構２の他方の撚合用半割形歯車２１又は２２に、案内歯車４１の外周側溝４１ｂに引っ掛けられて回転するプラスチック製線材ａを供給する。後部供出ボビン４３にはプラスチック製線材ａが巻かれている。案内歯車４１及びガイド装置４４の後方に配置されている。
【００２２】
ガイド装置４４は、前部供出ボビン４２と後部供出ボビン４３との間に設けられ、各後部供出ボビン４３から供出されるプラスチック製線材ａを対応する案内歯車４１に掛け替えるための装置である。ガイド装置４４にはプラスチック製線材ａを引っ掛けた係止片４４ａが設けられていて、網撚合機構２及び網撚合防止機構３の各半割形歯車２１，２２及び３１，３２の回転及び網幅方向への分離移行の動きに連動して、この係止片４４ａが上下、左右方向に移動して、後部供出ボビン４３からのプラスチック製線材ａの供出をスムーズにしている。
【００２３】
前後の網撚合機構２及び網撚合防止機構３の対応する各半割型歯車２１と３１、２２と３２の通孔同士は、プラスチック製線材ａがその内部を挿通する中空な熱伝導挿通管５１でそれぞれ連結されている。熱伝導挿通管５１は、前後の網撚合機構２と網撚合防止機構３との間に半割型歯車の数だけそれぞれ並設状態で配管されている。
【００２４】
つまり、或る熱伝導挿通管５１の一端は網撚合機構２の撚合用半割型歯車２１の通孔２１ａに連結され、熱伝導挿通管５１の他端は撚合用半割型歯車２１に対応して同期し回転及び網幅方向への分離移行する網撚合防止機構３の撚合防止用半割型歯車３１の通孔３１ａに連結されている。同様に、別の熱伝導挿通管５１の一端は網撚合機構２の撚合用半割型歯車２２の通孔２２ａに連結され、熱伝導挿通管５１の他端は撚合用半割型歯車２２に対応して同期し回転及び網幅方向への分離移行する網撚合防止機構３の撚合防止用半割型歯車３２の通孔３２ａに連結されている。
【００２５】
各熱伝導挿通管５１は内部が中空になっていて、その中空の内部には一本のプラスチック製線材ａがそれぞれ挿通されている。プラスチック製線材ａを網撚合防止機構３の各撚合防止用半割型歯車３１，３２から網撚合機構２の対応する各撚合用半割型歯車２１，２２に挿通させる場合に、この熱伝導挿通管５１を利用することによって、間違いなくしかも簡単に挿通させることができる。
【００２６】
また、各熱伝導挿通管５１は熱伝導性を有する例えば金属製の円筒管から構成されている。各熱伝導挿通管５１は加熱装置５で加熱されると、その熱が熱伝導性を有する各熱伝導挿通管５１の全体に伝わる。挿通された各プラスチック製線材ａはその内部を前方の網撚合機構２側に向けて移動する間に、全体に熱が伝わった熱伝導挿通管５１によって均一に加熱されて軟化する。軟化した各プラスチック製線材ａは撚り合せの際に撚り抵抗を生じることがなく、スムーズに撚り合せが行われて、亀甲形網ｂに編み上げられる。
【００２７】
加熱装置５は、前述したように熱伝導挿通管５１を通じてその内部を挿通するプラスチック製線材ａを均一に加熱する装置で、前後の網撚合機構２と網撚合防止機構３との間の熱伝導挿通管５１が多数並設された状態で配管された領域に設けられている。加熱装置５は、多数並設された熱伝導挿通管５１に対して横断方向に配置されている。加熱装置５には例えば電熱ヒーターが使用されている。加熱装置５及び各熱伝導挿通管５１が配置された網撚合機構２と網撚合防止機構３との間は、熱が外部に漏れにくいように例えば密閉された空間になっている。
【００２８】
前記網撚合機構２の前方には、この網撚合機構２で亀甲形網ｂに編み上げられて送出された亀甲形網ｂの形状を保持する成形保持盤６が例えば前後に２基設けられている。２基の成形保持盤６は連結板６２により一体的に連結されていて、全く同一の動作を行う。各成形保持盤６は、網撚合機構２から送出される亀甲形網ｂの網幅方向の各撚り合せ部分ｃに対応する箇所に少なくとも凹部６１をそれぞれ有し、且つ網撚合機構２からの亀甲形網ｂの送出速度と同速度で前方に少し移動した後に元の位置に瞬時に復帰し、この動作を繰り返す構造になっている。また、連結板６２により連結された両成形保持盤６は、図示しない駆動機構により、網撚合機構２と連動して駆動する構造になっている。
【００２９】
各凹部６１は、上方から各撚り合せ部分ｃを押さえる場合に傷つかないように例えば丸みを帯びており、横長な成形保持盤６の下面に同一間隔で多数形成されていて、成形保持盤６は正面から見て櫛歯型の形状に形成されている。横長な成形保持盤６の下面に多数形成された凹部６１には、網撚合機構２から送出される亀甲形網ｂの網幅方向の各撚り合せ部分ｃが係合される。この場合において、成形保持盤６の凹部６１には、一つおきに亀甲形網ｂの撚り合せ部分ｃが係合される。つまり凹部６１には亀甲形網ｂの撚り合せ部分ｃが係合される箇所と係合されない空部とが交互に現れる。
【００３０】
また、前後に配置された２基の成形保持盤６の下面に形成された凹部６１は、前後で同一箇所に形成されている。そして、前後の２基の成形保持盤６では、亀甲形網ｂの六角形の両辺の撚り合せ部分ｃの箇所が、その前後では六角形の中央位置になるため、前後の凹部６１で亀甲形網ｂの撚り合せ部分ｃが係合される箇所が異なっている。つまり、前方の成形保持盤６の凹部６１に亀甲形網ｂの撚り合せ部分ｃが係合される場合は、その箇所と同じ位置にある後方の成形保持盤６の凹部６１は空部になっている。
【００３１】
このうち、網撚合機構２の直近側に位置する後方の成形保持盤６は、網撚合機構２から送出された直後の亀甲形網ｂの六角形の左右両辺となる撚り合せ部分ｃを一つおきの各凹部６１で上方から押さえて係合する。そして、係合した状態で亀甲形網ｂの送出速度と同じ速度で、亀甲形網ｂの六角形の左右両辺となる撚り合せ部分ｃの長さと、撚り合せ部分ｃの終端から次の亀甲形網ｂの撚り合せ部分ｃの始端までの正弦（ｓｉｎの斜辺に対する対辺）の長さとの合計距離だけ前方に移動した後、成形保持盤６は元の位置に瞬時に復帰し、この動作を繰り返す。
【００３２】
亀甲形網ｂの六角形の左右両辺となる撚り合せ部分ｃを構成する２本のプラスチック製線材ａは、網撚合機構２の撚合用半割型歯車２１，２２から送出されると、上下の撚合用半割型歯車２１，２２が左右に分離移行するのに伴い、撚り合せ部分ｃの終端から左右に別れて、隣設の撚合用半割型歯車２１，２２と上下で合致し回転することにより、２本のプラスチック製線材ａは撚り合せられる。このようにして亀甲形網ｂが編み上げられる。
【００３３】
このとき、この２本のプラスチック製線材ａが撚り合せ部分ｃの終端から左右に別れる場合に、左右に強く引っ張られても、各撚り合せ部分ｃの終端側は成形保持盤６の下面側に形成された凹部６１に係合されているため、左右の何れかの方向に引き寄せられることなく中央位置で保持されて、亀甲形の六角形の形状が保持される。
【００３４】
特に撚り合せされた直後のプラスチック製線材ａは加熱により軟化しているため、左右のプラスチック製線材ａで軟化状態が微妙に違う場合には、左右の何れかの方向に引き寄せられて亀甲形が崩れることが考えられるが、この成形保持盤６の働きによって、各撚り合せ部分ｃの終端側は凹部６１に係合されて保持されるので、左右の何れかの方向に引き寄せられことはなく、亀甲形の形状を保持することができるのである。
【００３５】
前方に位置する別の成形保持盤６は、後方の成形保持盤６が押さえて係合する亀甲形網ｂの六角形の両辺の中央部分に位置する撚り合せ部分ｃを上方から押さえて係合するが、連結板６２により後方の上記成形保持盤６と一体的に連結されているため全く同一の動作で作動する。亀甲形に編み上げられた直後の亀甲形網ｂは直前の加熱により軟化していて形状が変形する可能性があるが、前後の成形保持盤６によって、亀甲形が変形するのが阻止されてその形状の保持が図られている。
【００３６】
成形保持盤６の直ぐ後方には、編み上げられた直後の亀甲形網ｂを前方に向けて送り出する円筒形状の送出ローラー７が設置されている。この送出ローラー７の円周側面にはピン７１が幅方向及び円周方向に一定の間隔で突起しており、前方側に向けて回転するピン７１が亀甲形の六角形の頂点側を引っ掛けて引っ張ることにより、亀甲形網ｂは前方に移動して、前方に設置されている図示しない巻取装置に巻き取られる。
【００３７】
次に、上記発明を実施するための最良の形態の構成に基づく作用について以下説明する。
後方に配置された撚戻機構４の各前部供出ボビン４２から供出したプラスチック製線材ａを、その前方の網撚合防止機構３の例えば撚合防止用半割形歯車３１の各通孔３１ａにそれぞれ挿入し、熱伝導挿通管５１の内部を挿通させてその前方に配置された網撚合機構２の撚合用半割形歯車２１の通孔２１ａからその先端側を出す。
【００３８】
同様に、後方に配置された撚戻機構４の各後部供出ボビン４３から供出したプラスチック製線材ａを、前方の対応する各ガイド装置４４を経由して、ガイド装置４４の前方の対応する各前部供出ボビン４２の外周に配置された案内歯車４１の外周側溝４１ｂに引っ掛けて、案内歯車４１の前方の網撚合防止機構３の例えば撚合防止用半割形歯車３２の各通孔３２ａにそれぞれ挿入し、熱伝導挿通管５１の内部を挿通させてその前方に配置された網撚合機構２の撚合用半割形歯車２２の通孔２２ａからその先端側を出す。
【００３９】
以上のようにして、プラスチック製線材ａをプラスチック製亀甲形網ｂの製造装置１にセットした後、加熱装置５の電熱ヒータを加熱させて、プラスチック製線材ａが挿通された各熱伝導挿通管５１を加熱する。熱伝導挿通管５１を加熱すると、その熱が熱伝導挿通管５１の全体に伝わり、その内部のプラスチック製線材ａは均一に加熱されて軟化する。このようにして、プラスチック製線材ａを軟化して撚り合せ抵抗を小さくした後に、網撚合機構２及びこれに連動する網撚合防止機構３と撚戻機構４の案内歯車４１、ガイド装置４４などを作動させる。
【００４０】
作動する網撚合機構２は、互いに合致する一対の撚合用半割形歯車２１，２２の通孔２１ａ，２２ａに挿通された２本のプラスチック製線材ａを合致する一対の撚合用半割形歯車２１，２２の回転により数回撚合させた後、一方又は双方が網幅方向に分離移行してそれぞれ隣設する別の撚合用半割形歯車２１，２２に合致させて新たに合致した一対の撚合用半割形歯車２１，２２の回転により該半割形歯車の通孔２１ａ，２２ａに挿通された２本のプラスチック製線材ａを数回撚合させ、元の位置に戻り先の撚合用半割形歯車２１，２２と合致し回転することを繰り返す。これにより、亀甲形網ｂが編み上げられて網撚合機構２の前方に順次送出される。
【００４１】
網撚合機構２の後方の熱伝導挿通管５１及び網撚合防止機構３の撚合防止用半割形歯車３１，３２は、それぞれ対応する網撚合機構２の撚合用半割形歯車２１，２２の回転及び網幅方向への分離移行に同期して回転及び網幅方向に分離移行する。
【００４２】
同様に網撚合防止機構３の後方の撚戻機構４も網撚合機構２の撚合用半割形歯車２１，２２の回転及び網幅方向への分離移行に同期して、前部供出ボビン４２及び後部供出ボビン４３から網撚合防止機構３に向けて連続的に供出されるプラスチック製線材ａの撚りを戻すことによって、網撚合機構２で撚られるプラスチック製線材ａに撚りの癖が付加されるのが防止される。また、網撚合防止機構３に向けて連続的に供出されるプラスチック製線材ａ同士が、網撚合防止機構３の各撚合防止用半割形歯車３１，３２の回転及び網幅方向への分離移行の動きによって絡み合うのが防止される。
【００４３】
網撚合機構２の撚合用半割形歯車２１，２２の通孔２１ａ，２２ａからプラスチック製線材ａの撚り合せ部分ｃの終端側が送出されると、後部の成形保持盤６が上方から下りてきてその下面に形成された凹部６１の内部に撚り合せ部分ｃの終端側を押さえながら係合して入れる（図６（Ａ）参照）。これにより、網撚合機構２から送出された直後の軟化した状態の２本のプラスチック製線材ａの各撚り合せ部分ｃの終端側は、後部の成形保持盤６の凹部６１によって係合されて保持される。その直後に２本のプラスチック製線材ａは左右に引っ張られて別れるが、各撚り合せ部分ｃの終端側は成形保持盤６の凹部６１に保持されているため、左右方向にずれることなく、亀甲形の形状を維持することが可能となる。
【００４４】
網撚合機構２に直近の後方の成形保持盤６の凹部６１が２本のプラスチック製線材ａの各撚り合せ部分ｃの終端側を押さえて係合するとき、前方の成形保持盤６の凹部６１がこれより一つ先に既に送出されている各撚り合せ部分ｃの終端側を同時に上方から下りてきて押さえて係合する。
【００４５】
前後の成形保持盤６は、各凹部６１がそれぞれのプラスチック製線材ａの各撚り合せ部分ｃの終端側を押さえて係合した後は、網撚合機構２から亀甲形網ｂが送出される速度と同じ速度で、亀甲形網ｂの六角形の左右両辺となる撚り合せ部分ｃの長さと、撚り合せ部分ｃの終端から次の亀甲形網ｂの撚り合せ部分ｃの始端までの正弦（ｓｉｎの斜辺に対する対辺）の長さとの合計距離だけ前方に移動した後（図６（Ｂ）（Ｃ）参照）、瞬時に上方に移動しながら後方の元の位置に復帰すると同時に再び上方から下りてきて網撚合機構２から送出された直後のプラスチック製線材ａの各撚り合せ部分ｃの終端側を押さえて係合する（図６（Ａ）参照）。前後の成形保持盤６はこの動作を繰り返す。
【００４６】
亀甲形に編み上げられた直後の亀甲形網ｂは直前の加熱により軟化していて形状が変形する可能性があるが、前後の成形保持盤６の上述の働きによって、各撚り合せ部分ｃは保持されて左右方向にずれることがなく、亀甲形が変形するのが阻止されてその形状の保持が図られる。
【００４７】
網撚合機構２によって編み上げられた亀甲形網ｂは、成形保持盤６の直ぐ後方に設置された送出ローラー７の前方側に向けて回転するピン７１が亀甲形の六角形の頂点側を引っ掛けて引っ張ることにより前方に移動して、前方に設置されている図示しない巻取装置に巻き取られる。
【００４８】
なお、この発明は上記発明を実施するための最良の形態に限定されるものではなく、この発明の精神を逸脱しない範囲で種々の改変をなし得ることは勿論である。
【図面の簡単な説明】
【００４９】
【図１】この発明を実施するための最良の形態を示すプラスチック製亀甲形網の製造装置の全体概要図である。
【図２】この発明を実施するための最良の形態を示す網撚合機構及び網撚合防止機構の半割形歯車の回転時の部分斜視図である。
【図３】この発明を実施するための最良の形態を示す網撚合機構及び網撚合防止機構の半割形歯車の網幅方向への分離移行時の部分斜視図である。
【図４】この発明を実施するための最良の形態を示す撚戻機構の部分斜視図である。
【図５】この発明を実施するための最良の形態を示す成形保持盤の部分斜視図である。
【図６】（Ａ）〜（Ｃ）はこの発明を実施するための最良の形態を示す成形保持盤の動作説明用の部分平断面図である。
【符号の説明】
【００５０】
１    プラスチック製亀甲形網の製造装置
２    網撚合機構
２１    撚合用半割形歯車
２１ａ  通孔
２２    撚合用半割形歯車
２２ａ  通孔
２３    ラック
３    網撚合防止機構
３１    撚合防止用半割形歯車
３１ａ  通孔
３２    撚合防止用半割形歯車
３２ａ  通孔
３３    ラック
４    撚戻機構
４１    案内歯車
４１ａ  回転歯車
４１ｂ  外周側溝
４２    前部供出ボビン
４３    後部供出ボビン
４４    ガイド装置
４４ａ  係止片
５    加熱装置
５１    熱伝導挿通管
６    成形保持盤
６１    凹部
６２    連結板
７    送出ローラー
７１    ピン
ａ    プラスチック製線材
ｂ    亀甲形網
ｃ    撚り合せ部分
【図１】
0004926126.tif 000002
【図２】
0004926126.tif 000003
【図３】
0004926126.tif 000004
【図４】
0004926126.tif 000005
【図５】
0004926126.tif 000006
【図６】
0004926126.tif 000007